(57)【特許請求の範囲】
【請求項１】
光伝送路を伝搬する光信号の一部を漏洩させる光漏洩部と、漏洩させた光信号を受光素子により検出する光検出部と、この光検出部を具備する光検出端末とを備え、検出される光信号の状態に基づいて前記光伝送路の状態を判別する光伝送路判別装置において、
前記光漏洩部と前記光検出部とは互いに分離され、
互いに分離された漏洩部曲面と光伝送路押えを備え、
前記光漏洩部は、前記光伝送路の一部を保持し、前記漏洩部曲面を備え、
前記光検出部は前記光伝送路押えを備え、
前記漏洩部曲面と前記光伝送路押えとを嵌合させて、前記漏洩部曲面と前記光伝送路押えとの間に保持された前記光伝送路の一部を少なくとも一時的に屈曲させた時に、その屈曲部から漏洩した前記光信号の一部を検出する
ことを特徴とする光伝送路判別装置。
【請求項２】
前記光検出部を前記光漏洩部と嵌合させる時の位置案内か、前記光漏洩部と前記光検出部とを嵌合させた時に前記受光素子に侵入する外来光を遮光する遮光カバーの、少なくともいずれか一方の機能を有する補助具を具備する
ことを特徴とする請求項１に記載の光伝送路判別装置。
【請求項３】
前記補助具は前記光伝送路押えの少なくとも一部を備えている
ことを特徴とする請求項２に記載の光伝送路判別装置。
【請求項４】
前記光伝送路は、前記光漏洩部に保持される位置に、光信号の一部が漏洩する少なくとも１つの接続点を有していることを特徴とする請求項１から請求項３の何れか１項に記載の光伝送路判別装置。
【請求項５】
前記光伝送路は、前記光漏洩部において、複数の被覆層の少なくとも一部が除去されていることを特徴とする請求項１から請求項４のいずれか１項に記載の光伝送路判別装置。
【請求項６】
前記光漏洩部は、複数の前記光伝送路を保持し、
前記光検出部は、少なくとも１つの前記受光素子を備え、複数の前記各光伝送路から漏洩した複数の光信号を個別に、または前記複数の光信号の少なくとも一部を一括して、前記受光素子で受光することで、漏洩した複数の光信号を検出することを特徴とする請求項１から請求項５のいずれか１項に記載の光伝送路判別装置。
【請求項７】
前記光検出部は、漏洩した光信号の波長とは異なる波長のうちの少なくとも一部の波長の光を遮断するフィルタを備えていることを特徴とする請求項１から請求項６のいずれか１項に記載の光伝送路判別装置。
【請求項８】
前記漏洩部に位置する前記漏洩部曲面の表面の少なくとも一部に、漏洩した光信号を反射させる反射処理が施されていることを特徴とする請求項１から請求項７のいずれか１項に記載の光伝送路判別装置。
【請求項９】
前記光伝送路押えを形成する部材の少なくとも一部は、前記漏洩部から漏洩した前記光信号に対して、前記光伝送路の被覆層との屈折率略整合がなされていることを特徴とする請求項１から請求項８のいずれか１項に記載の光伝送路判別装置。
【請求項１０】
前記光漏洩部と前記光伝送路押えの一部に、前記光検出部の前記受光素子に侵入する外来光の反射を抑制する処理が施されていることを特徴とする請求項１から請求項９のいずれか１項に記載の光伝送路判別装置
【請求項１１】
前記光漏洩部はＲＦＩＤタグを備えていることを特徴とする請求項１から請求項１０のいずれか１項に記載の光伝送路判別装置。
【請求項１２】
前記光検出端末は、前記ＲＦＩＤタグに記憶された情報を読み出す機能を備えていることを特徴とする請求項１１に記載の光伝送路判別装置。
【請求項１３】
前記ＲＦＩＤタグは、前記光伝送路の配線情報、および、前記光伝送路の状態または前記光伝送路を伝送する光信号の状態についての前記光検出部による検出結果を、記憶する機能を備えており、
前記光検出端末は、前記ＲＦＩＤタグに、少なくとも検出結果の情報を記憶させる機能を備えていることを特徴とする請求項１１または請求項１２に記載の光伝送路判別装置。
【請求項１４】
光伝送路に接続され、少なくとも、前記光伝送路を伝搬する光信号を入力する、または、光信号を前記光伝送路へ出力して伝搬させる光伝送用機器であって、
その内部に請求項１から請求項１３のいずれか１項に記載の光伝送路判別装置を構成する前記光漏洩部を備え、
前記光漏洩部は、前記光伝送用機器の入出力端子から前記光伝送用機器内部に導入される光伝送路の一部を保持し、
前記光検出部は、前記光検出部または前記補助具の前記光伝送路押えと前記光漏洩部の前記漏洩部曲面とを嵌合させて、前記漏洩部曲面と前記光伝送路押えとの間に保持された前記光伝送路の一部を屈曲させた時に、その屈曲部から漏洩した光信号に基づいて、前記光伝送用機器内部の前記光伝送路および前記入出力端子を伝送する光信号の状態を判別する機能を有する
ことを特徴とする光伝送用機器。
【請求項１５】
光伝送路を管理する光伝送路管理システムであって、
請求項１１から請求項１４のいずれか１項に記載の光伝送路判別装置またはこの光伝送路判別装置の一部を備えた光伝送用機器、および前記ＲＦＩＤタグに記憶される前記光伝送路の配線情報を用い、前記光伝送路を管理することを特徴とする光伝送路管理システム。
【発明の詳細な説明】
【技術分野】
【０００１】
本発明は、光通信、LAN（ローカルエリアネットワーク）、光配線等に用いられる、光伝送媒体である光ファイバなどの光伝送路が断線していないか、このような光伝送路中を光信号が正常に伝送しているかなどといった光伝送路の状態を判別するために用いる光伝送路判別装置、この光伝送路判別装置を備えた光伝送用機器、および、これらを用いた光伝送路管理システムに関するものである。ここで、光伝送用機器とは、光部品（光コネクタや光コード、光コネクタアダプタ、光タップ、光ケーブル）や、光成端装置（光成端架、光成端箱、光接続箱、光成端ユニット、光クロージャ、光成端トレイ、光コンセント、ＰＯＩ（point of interface）−ＢＯＸ）、光端末（ＯＮＵ（optical network unit）、メディアコンバータ）、光伝送装置（ＯＬＴ（optical line terminal）、光ルータ、ＲＯＡＤＭ(Reconfigurable Optical Add/Drop Multiplexer)、光クロスコネクト、光中継器）などを意味する。
【背景技術】
【０００２】
光伝送路の状態やその光伝送路を伝送する光信号の状態を判別する光伝送路判別装置としては、従来より、主に特許文献１に開示された「心線対照器（判別機）」や、非特許文献１を応用した「光タップと光検出器」が用いられている。
【０００３】
「心線対照器」は光伝送路を構成する光ファイバ心線を屈曲させて光信号の一部を漏洩させて検出する装置である。一般的に「心線対照器」は、局舎から判別光を伝送路に挿入し、その判別光を検出することにより光伝送路を識別する装置であり、伝送路敷設時の導通試験等に用いられる。また、判別光を特別に挿入することなく現用の光信号により、光伝送媒体を伝搬しているか否かを判別することができる場合もある。この「心線対照器」は、判別する時のみ光伝送媒体（光ファイバ）に屈曲部を生じさせれば良いので、光信号を判別していない時間は光伝送損失が増加する要因は無い。しかしながら、「心線対照器」は作業効率が悪い欠点を有し、光伝送路の瞬断や断線を誘発する要因ともなっていた。
【０００４】
「光タップ」は伝送光の一部を取り出す部品であり、光検出器と組み合わせて主に光伝送用機器で用いられる。しかしながら、この組み合わせは、大きさにより設置場所が制限されるばかりでなく、高価であり、定常的に相当の挿入損失が生じるという欠点を有していた。
【０００５】
また、「心線対照器」の他に、光ファイバを屈曲させず、光ファイバ心線の融着接続部からの漏洩光を検出して心線対照を行う、特許文献２に開示されたような装置もある。しかし、この装置は心線対照に特化した製品であり、現用光の判別には適さず、適用範囲が大幅に制限される欠点を有していた。
【０００６】
これらの欠点を補う方法として、特許文献３の方法がある。特許文献３には、光漏洩部と光検出部とが分離されて構成された光伝送路判別装置が記載されている。この光伝送路判別装置の光漏洩部は凸部および凹部を備えて構成されており、光漏洩部の凹部が光検出端末の検出部により押し込まれると、凸部と凹部との間に位置する光伝送路が屈曲させられる。このとき、光伝送路の屈曲部から漏洩した漏洩光は、光検出端末の検出部によって検出される。このため、この光伝送路判別装置によれば、光伝送路に設けられた光漏洩部を動かすことなく、光検出端末を光漏洩部の凹部に対して押し込むだけで、光伝送路を伝送する光信号を検出することができる。
【特許文献１】特開平６−２２１９５８号公報
【特許文献２】特開２００５−９４７２０号公報
【特許文献３】特開２００７−８５９３４号公報
【非特許文献１】モハンマド・サード・カーン、浅田真一郎、高橋健、横山純、「インライン光パワーモニタ」、２００４年  電子情報通信学会  エレクトロニクスソサイエティ大会、発表（文書）番号：Ｃ３−２３、ｐ．１５５
【発明の開示】
【発明が解決しようとする課題】
【０００７】
しかし、特許文献３に示す光伝送路判別装置は、光タップによる方法と比較すれば、格段に経済性に優れ、挿入損失を最低限に抑えることが可能になるものの、光漏洩部品の構成要素が多く、摺動部を必要とする等構造が複雑になるので、比較的高価になるという欠点を有していた。さらに特許文献３に開示されている光伝送路判別装置では、光漏洩部は、光ファイバ心線を効率的に屈曲させる曲線形状面と、この曲線形状面に対して空間を隔てて嵌合可能なもう一方の曲線形状面とを有しており、高さ寸法が１０[mm]を超える。一般的な成端トレイの高さ寸法は５[mm]以下が主流であるため、上記特許文献３に示す光伝送路判別装置は、光漏洩部の設置が可能な成端トレイの種類が大幅に限定されてしまう欠点を有する。
【０００８】
以上説明したように、光ファイバ心線を屈曲させて漏洩光を検出する上記従来の屈曲法は、その適用範囲に欠点を有しているが、この欠点が克服されれば、現用光伝送路判別装置の適用範囲の拡大が期待される。
【課題を解決するための手段】
【０００９】
本発明はこのような課題を解決するためになされたもので、
光伝送路を伝搬する光信号の一部を漏洩させる光漏洩部と、漏洩させた光信号を受光素子により検出する光検出部と、この光検出部を具備する光検出端末とを備え、検出される光信号の状態に基づいて光伝送路の状態を判別する光伝送路判別装置において、
光漏洩部と光検出部とは互いに分離され、
互いに分離された漏洩部曲面と光伝送路押えを備え、
光漏洩部は、光伝送路の一部を保持し、漏洩部曲面を備え、
光検出部は光伝送路押えを備え、
漏洩部曲面と光伝送路押えとを嵌合させて、漏洩部曲面と光伝送路押えとの間に保持された光伝送路の一部を少なくとも一時的に屈曲させた時に、その屈曲部から漏洩した光信号の一部を検出する
ことを特徴とする。
【００１０】
この構成によれば、光漏洩部は、特許文献３に開示された従来の装置における凸部および凹部を備えた光漏洩部とは異なり、漏洩部曲面のみを有するものであり、摺動部を必要としない。光漏洩部は全ての検出箇所に予め設置する必要があるため、この構造の相違は非常に重要であり、この構成は経済性に優れ、適用範囲の拡大が期待される。また、従来の装置に比べて光漏洩部の高さ寸法は小さくなるため、光漏洩部の小型化が可能となり、例えば、許容される高さ寸法の小さい小型の成端トレイに対しても、本発明による光伝送路判別装置を適用することが可能となる。
【００１２】
また、光漏洩部の主構成は光漏洩部曲面のみとなり、摺動部を必要としないので、光漏洩部構造の大幅な簡素化と小型化，高信頼化，低価格化が可能となる。光伝送路押えは光検出部に一体化されるため、主要部品の数が最小限に抑えられると共に、可動部を必要としないので、構造が簡素化される。
【００１３】
また、光漏洩部は全ての検出箇所に設置する必要があるので、光漏洩部の構造の簡素化は非常に重要であり、光伝送路押えは光検出部に一体化されるため、基本的には光検出端末１つに対し、光伝送路押え１つ有ればよいので、従来の構成のように、検出箇所の数と同数備える必要が無く、その原価低減効果は大きい。
【００１４】
また、本発明は、
光検出部を光漏洩部と嵌合させる時の位置案内か、光漏洩部と光検出部とを嵌合させた時に受光素子に侵入する外来光を遮光する遮光カバーの、少なくともいずれか一方の機能を有する補助具を具備することを特徴とする。
【００１５】
この構成によれば、補助具が位置案内の機能を有する場合、光検出端末に具備された光検出部の光伝送路押えが、補助具によって、光漏洩部の漏洩部曲面と嵌合する位置まで案内される。このため、光漏洩部に補助具が取り付けられた状態では、容易に、光検出端末に具備された光検出部の光伝送路押えを光漏洩部の漏洩部曲面に嵌合させることができるようになり、簡単な操作で光信号を検出することが出来る。また、光検出部の光伝送路押えが補助具によって案内されて光漏洩部の漏洩部曲面に嵌合するため、光漏洩部が狭い空間に配置されている場合であっても、光検出部を光漏洩部に近づけて、容易に光伝送路押えを漏洩部曲面に嵌合させることができる。よって、光検出部および光漏洩部を小型化することが出来ると共に、光伝送路の判別を行う際の作業効率の向上を図ることができる。
【００１６】
また、補助具が遮光カバーの機能を有する場合、光漏洩部に補助具が取り付けられることで、受光素子に侵入する外来光は遮光される。このため、光伝送用機器内部の光伝送路を伝送する光信号の検出を行う際、光検出部における外来光の影響を少なくして、屈曲部で漏洩した光信号の検出精度を高めることができ、確実に光伝送路の判別を行うことができるようになる。
【００１７】
また、本発明は、
補助具が光伝送路押えの少なくとも一部を備えていることを特徴とする。
【００１８】
この構成によれば、光漏洩部に補助具を取り付けることにより、補助具に形成された光伝送路押えが、光漏洩部の漏洩部曲面と嵌合する位置まで案内される。光伝送路押えが光漏洩部の漏洩部曲面に嵌合すると、漏洩部曲面に保持されている光伝送路が漏洩部曲面と光伝送路押えとの間に挟持された状態で屈曲し、この屈曲した屈曲部から光信号の一部が漏洩する。屈曲部から漏洩した光信号の一部は、光検出部により検出される。このため、本構成においても、光伝送路押えを光漏洩部に嵌合させることで、光伝送路を保持する光漏洩部を動かすことなくそのままの状態で、光伝送路を伝送する光信号を検出することができる。また、補助具が位置案内の機能を有する場合、光伝送路押えが補助具によって案内されて光漏洩部の漏洩部曲面に嵌合するため、光漏洩部が狭い空間に配置されている場合であっても、光検出部を光漏洩部に近づけて、容易に光伝送路押えを漏洩部曲面に嵌合させることができる。よって、光検出部および光漏洩部を小型化することが出来ると共に、光伝送路の判別を行う際の作業効率の向上を図ることができる。また、補助具が遮光カバーの機能を有する場合、光漏洩部に補助具が取り付けられることで、受光素子に侵入する外来光は遮光される。このため、光伝送用機器内部の光伝送路を伝送する光信号の検出を行う際、光検出部における外来光の影響を少なくして、屈曲部で漏洩した光信号の検出精度を高めることができ、確実に光伝送路の判別を行うことができるようになる。
【００１９】
また、本発明は、光伝送路が、光漏洩部に保持される位置に、光信号の一部が漏洩する少なくとも１つの接続点を有していることを特徴とする。
【００２０】
この構成によれば、光伝送路の接続点において、光伝送路を構成する光ファイバのコアからクラッドへ、光信号が僅かな割合で漏洩している。従って、光検出部または補助具の光伝送路押えが光漏洩部の漏洩部曲面に嵌合し、光伝送路が漏洩部曲面と光伝送路押えとの間に挟持され、屈曲させられた時には、屈曲部分のクラッドから漏れた光信号が更に光ファイバの外部に漏洩する。従って、屈曲部のみを形成し、光ファイバコアを伝播する光信号をクラッドに漏洩させ、更に光ファイバの外部に漏洩させて、コア中心から光信号を漏洩させる場合と比較し、クラッドから光信号を漏洩させる屈曲部分の曲率半径は大きく設定される。また、光伝送路の接続点では、主にコアの軸ずれにより、モードフィールド径の小さい短波長側の光信号がより多く漏洩するが、光伝送路の屈曲部で生じる、主に長波長側の光信号がより多く漏洩する現象と比較し、波長依存性は遥かに少なく、問題にならない範囲である。従って、心線対照器等を用いた従来の光伝送路判別装置に比べて、検出時の過剰損失を大きくすることなく、検出対象となる光信号の波長範囲を拡げ、検出感度を向上させた光伝送路判別装置が提供されることになる。
【００２１】
また、本発明は、光伝送路が、光漏洩部において、複数の被覆層の少なくとも一部が除去されていることを特徴とする。
【００２２】
この構成によれば、光伝送路押えを光漏洩部に嵌合させた時に生成される光伝送路の屈曲部分では、一部の被覆層の除去された部分から、嵌合時に漏洩した光信号が光検出部により検出される。このため、被覆層の構成の異なる種々の外形の光伝送路に対して、異なる被覆層における光信号の損失の影響をなくした状態で、最小の被覆層の構成により、光信号の検出を行うことが可能になる。
【００２３】
また、本発明は、光漏洩部が、複数の光伝送路を保持し、光検出部が、少なくとも１つの受光素子を備え、複数の各光伝送路から漏洩した複数の光信号を個別に、または複数の光信号の少なくとも一部を一括して、受光素子で受光することで、漏洩した複数の光信号を検出することを特徴とする。
【００２４】
この構成によれば、複数の光伝送路から漏洩した複数の光信号の光検出部による検出は、個別に、または一部が一括して受光素子で受光されることによって行われる。このため、光タップなどの光部品を用いて１本の光伝送路毎に光信号を検出する従来の光伝送路判別装置に比べて、コストを抑えることが可能になる。また、１つの光検出部により一度に複数の光伝送路の光信号を検出することができ、作業効率を向上させることができる。
【００２５】
また、本発明は、光検出部が、漏洩した光信号の波長とは異なる波長のうちの少なくとも一部の波長の光を遮断するフィルタを備えていることを特徴とする。
【００２６】
この構成によれば、光伝送路の屈曲部において漏洩した光信号の波長とは異なる波長の光は、フィルタにより遮断されて光検出部で検出されなくなる。このため、漏洩した光信号だけが光検出部において検出されるようになり、光検出部における光信号の検出精度の向上が図られる。
【００２７】
また、本発明は、漏洩部に位置する漏洩部曲面の表面の少なくとも一部に、漏洩した光信号を反射させる反射処理が施されていることを特徴とする。
【００２８】
この構成によれば、光伝送路の屈曲部で漏洩した光信号は、漏洩部曲面および光伝送路押えの間を減衰少なく反射しながら光検出部に到達し、検出される。このため、光検出部の検出効率が向上し、強度の小さい光信号であっても確実に光検出部で検出されるようになる。
【００２９】
また、本発明は、光伝送路押えを形成する部材の少なくとも一部が、漏洩部から漏洩した光信号に対して、光伝送路の被覆層との屈折率略整合がなされていることを特徴とする。
【００３０】
この構成によれば、光伝送路押えを形成する部材の少なくとも一部の屈折率が光伝送路の被覆層の屈折率と略等しくなっているため、漏洩光が光伝送路の被覆層と光伝送路押えとの境界で反射せず、光伝送路押えで反射することなく透過して、被覆層を介して光伝送路押えへ透過してくる漏洩光の量が増加するようになる。このため、この漏洩光の量の増加に伴い、光検出部における受光効率が高くなり、光伝送路の屈曲された部分で漏洩した光信号の強度が小さい場合であっても、確実に光検出部で検出されるようになる。
【００３１】
また、本発明は、光漏洩部と光伝送路押えの一部に、光検出部の受光素子に侵入する外来光の反射を抑制する処理が施されていることを特徴とする。
【００３２】
この構成によれば、光漏洩部の漏洩部曲面と光検出部または補助具の光伝送路押えとが嵌合しているときに漏洩部曲面と光伝送路押えとの間に侵入してくる太陽光などの外来光の反射が抑制され、反射を繰り返して光検出部に到達する外来光の量が減少する。このため、光検出部における外来光の影響を少なくして、屈曲部で漏洩した光信号の検出精度を高めることができ、光信号が確実に光検出部で検出されるようになる。
【００３３】
また、本発明は、光漏洩部がＲＦＩＤタグを備えていることを特徴とする。
【００３４】
この構成によれば、ＲＦＩＤタグに光伝送路の配線情報などの種々の情報を記憶させておくことができる。このため、作業者は、光伝送路や光伝送路を伝送する光信号の状態の判別を行う際、判別の対象となる光伝送路に関する配線情報などの種々の情報を、その光伝送路を保持する光漏洩部に備えられたＲＦＩＤタグに記憶された情報を読み込むことで、知ることができ、光伝送路の配線管理を適切に行なえるようになる。
【００３５】
また、本発明は、光検出端末が、ＲＦＩＤタグに記憶された情報を読み出す機能を備えていることを特徴とする。
【００３６】
この構成によれば、ＲＦＩＤタグに記憶された情報は光検出端末によって読み出される。このため、作業者は、屈曲された部分から漏洩した光信号を光検出端末を用いて検出する際、ＲＦＩＤタグに記憶された情報を光検出端末を用いて読み込み、検出対象となる光伝送路における光伝送路特定情報や光検出部による検出結果を確認しながら、屈曲部から漏洩した光信号を検出することができ、作業効率を向上させることができる。
【００３７】
また、本発明は、ＲＦＩＤタグが、光伝送路の配線情報、および、光伝送路の状態または光伝送路を伝送する光信号の状態についての光検出部による検出結果を、記憶する機能を備えており、光検出端末が、ＲＦＩＤタグに、少なくとも検出結果の情報を記憶させる機能を備えていることを特徴とする。
【００３８】
この構成によれば、光伝送路の配線情報や、光伝送路の状態または光伝送路を伝送する光信号の状態についての光検出部による検出結果は、光漏洩部のＲＦＩＤタグに記憶される。このため、作業者は、光検出部によって光伝送路や光信号の状態を判別した際に、直ちに、判別対象となった光伝送路の配線情報や光検出部による検出結果を、光検出端末を用いて確認することが出来ると共に、書き換えることができる。この結果、光伝送路の配線情報の管理と変更に個別に対応することが出来るようになる。
【００３９】
また、本発明は、
光伝送路に接続され、少なくとも、光伝送路を伝搬する光信号を入力する、または、光信号を光伝送路へ出力して伝搬させる光伝送用機器であって、
その内部に請求項１から請求項１３のいずれか１項に記載の光伝送路判別装置を構成する光漏洩部を備え、
光漏洩部は、光伝送用機器の入出力端子から光伝送用機器内部に導入される光伝送路の一部を保持し、
光検出部は、光検出部または補助具の光伝送路押えと光漏洩部の漏洩部曲面とを嵌合させて、漏洩部曲面と光伝送路押えとの間に保持された光伝送路の一部を屈曲させた時に、その屈曲部から漏洩した光信号に基づいて、光伝送用機器内部の光伝送路および入出力端子を伝送する光信号の状態を判別する機能を有する
ことを特徴とする。
【００４０】
この構成によれば、光伝送路押えを光漏洩部に嵌合させることで、光伝送用機器内部の光伝送路を取り出すことなくそのままの状態で、光伝送用機器内部の光伝送路を伝送する光信号を検出することができる、光部品や、光成端装置、光伝送装置といった種々の光伝送用機器が実現される。
【００４１】
また、本発明は、光伝送路を管理する光伝送路管理システムであって、請求項１１から請求項１４のいずれか１項に記載の光伝送路判別装置またはこの光伝送路判別装置の一部を備えた光伝送用機器、およびＲＦＩＤタグに記憶される光伝送路の配線情報を用い、光伝送路を管理することを特徴とする。
【００４２】
この構成によれば、ＲＦＩＤタグに記憶される光伝送路の個別配線情報や光信号の状態などの情報を活用することにより、光伝送路の配線管理を適切に行うことができる。また、ＲＦＩＤタグに記憶される上記情報を活用することにより、光伝送路判別装置またはこの光伝送路判別装置の一部を備えた光伝送用機器とデータセンター等の既存の光伝送路管理システムとを組み合わせた新規な構成の光伝送路管理システムを構築することも、容易に行えるようになる。
【発明の効果】
【００４３】
本発明によれば、光漏洩部は、漏洩部曲面のみを有するものであり、光漏洩部の構造が簡素化されることにより経済性に優れ、適用範囲が拡大する。また、従来の装置に比べて光漏洩部の高さ寸法は小さくなる。このため、光漏洩部の小型化が可能となり、許容される高さ寸法の小さい小型の成端トレイに対しても、本発明による光伝送路判別装置を適用することが可能となる。
【発明を実施するための最良の形態】
【００４４】
次に、本発明を実施するための最良の形態について説明する。
【００４５】
図１は、本発明の第１の実施形態による光伝送路判別装置を構成する光漏洩部１を示しており、同図（ａ）は光漏洩部１の斜視図、同図（ｂ）は同図（ａ）の光漏洩部１をＩｂ−Ｉｂ線で破断した矢視断面図、同図（ｃ）は同図（ａ）の光漏洩部１をＩｃ−Ｉｃ線で破断した矢視断面図である。
【００４６】
光伝送路判別装置は、光伝送路を構成する光ファイバ素線（光ファイバ心線）２を伝搬する光信号の一部を漏洩させる光漏洩部１と、漏洩させた光信号を検出する後述する光検出部を有する後述する光検出端末とを備えている。
【００４７】
光漏洩部１は、光ファイバ素線２を保持すると共に効率的に屈曲させる曲線形状面を有した凸部（光漏洩部曲面）３と、光ファイバ素線２を光漏洩部１内に保持するための一対のガイド４と、光ファイバ素線２が光漏洩部１の上部に離脱することを防止するための一対の光ファイバ押え部５と、ＲＦＩＤタグ７とを備えて構成されている。各ガイド４は、凸部３を挟む位置に対になって設けられており、光ファイバ押え部５は、各ガイド４の対向する内側面上部の一端に突設されている。
【００４８】
ガイド４は、後述する光検出部の凹部（光伝送路押え）１６が凸部３と嵌合する位置に光検出部を案内する案内構造を構成している。また、光ファイバ押え部５は、凸部３に保持された光ファイバ素線２の凸部３からの離脱を防止して保持する保持構造を構成している。
【００４９】
光ファイバ素線２は凸部３の上に載せられ、ガイド４と光ファイバ押え部５に覆われるため、光漏洩部１本体から外にはみ出さないようになっている。この結果、光ファイバ素線２は、通常、同図（ａ）〜（ｃ）に示すように光漏洩部１内に保持される。凸部３の曲線形状面は、光ファイバ素線２を保持する漏洩部曲面を構成している。
【００５０】
また、ＲＦＩＤタグ７は、同図（ａ）に矢印で示すように、一方のガイド４の上面に形成された空孔６に嵌め込まれている。光漏洩部１を構成する凸部３、ガイド４および光ファイバ押え部５はＡＢＳ樹脂で一体に形成されており、光漏洩部１の外形寸法（Ｌ×Ｄ×Ｈ）は約３５[mm]×５[mm]×５[mm]、凸部３の扇形曲率半径は約５[mm]となっている。
【００５１】
図２は、図１に示すＲＦＩＤタグ７の内部構成を示す図である。
【００５２】
ＲＦＩＤタグ７は、「Radio Frequency Identification」の略語であってＩＤタグ（識別タグ）の一種であり、電気的処理によりデータの書き込みおよび消去が可能なＲＯＭ８と、外部と通信するアンテナ９と、通信時の合図として点灯するＬＥＤ（発光ダイオード）１０と、通信制御およびＬＥＤ１０の発光制御を行うＣＰＵ（中央演算装置）１１とが電気的に接続され、これらが図示しないプラスチックケースでモールドされて構成されている。
【００５３】
本実施形態におけるＲＦＩＤタグ７は、自身で電源を備えておらず、タグ読み書き手段として機能する後述する光検出端末により発生される１３．５６[MHz]の周波数の電磁波を電源として動作する。しかし、ＲＦＩＤタグ７は、自身で電源を持つ場合や、ＬＥＤ１０を持たない場合、使用周波数として１３４kHz帯、ＵＨＦ帯、２．４５GHz帯の周波数の電磁波を電源として動作する場合もあり、その使用は適宜変更可能となっている。
【００５４】
図３（ａ）は、本実施形態による光伝送路判別装置を構成する光検出部１３を備えた光検出端末１２の外観を示す斜視図、同図（ｂ）は、光漏洩部１に光検出部１３を嵌合させる前後の状態を示す一部破断断面図、同図（ｃ）は、光漏洩部１に光検出部１３を嵌合させた状態を示す一部破断断面図である。
【００５５】
光検出端末１２は、光検出部１３と、検出情報を画面表示する表示部１４と、光ファイバ素線２の個別配線情報を入力する情報入力部１５とを備えて構成されている。光検出部１３は、光漏洩部１の凸部３と嵌合する形状に形成された曲線形状面からなる凹部１６を光伝送路押えとして有しており、凹部１６の表面中央部には、同図（ａ）に示すように、光ファイバ素線２から漏洩する光信号の一部すなわち漏洩光を検出する受光素子１７が設けられている。本実施形態では、光漏洩部１と光検出部１３とは分離されている。また、光検出部１３は、光検出端末１２の一端に光検出端末１２と一体に形成されており、凸部３と凹部１６との間に挟持された光ファイバ素線２に生じる後述する屈曲部から漏洩した光信号を検出する。
【００５６】
また、光検出部１３には、上述したＲＦＩＤタグ７のアンテナ９との間で情報の送受信を行う送受信アンテナ１８が設けられている。この送受信アンテナ１８は、ＲＦＩＤタグ７と交信することにより、ＲＦＩＤタグ７のＲＯＭ８に記憶されている光ファイバ素線２の個別配線情報や光信号の検出結果に関する情報などを呼び出したり、ＲＦＩＤタグ７のＲＯＭ８に記憶されるこれらの情報を更新させたりする際に用いられる。このように、光検出部１３を備えた光検出端末１２は、ＲＦＩＤタグ７に記憶された情報を読み出す機能、ならびに、光ファイバ素線２を特定する光伝送路特定情報、および、光ファイバ素線２の状態または光ファイバ素線２を伝送する光信号の状態についての光検出部１３による検出結果をＲＦＩＤタグ７に記憶させる機能を備えている。また、ＲＦＩＤタグ７は、光ファイバ素線２の配線情報、および、光ファイバ素線２の状態または光ファイバ素線２を伝送する光信号の状態についての光検出部１３による検出結果を記憶する機能を備えている
【００５７】
上記の構成において、光漏洩部１に保持された光ファイバ素線２の心線状態（光信号の伝搬の有無）を確認する場合、まず、光検出端末１２の光検出部１３を光漏洩部１のガイド４，４の間に挿入し、検出部１３の凹部１６を光漏洩部１の凸部３に嵌合させ、凸部３および凹部１６に挟まれた光ファイバ素線２を漏洩部曲面および光伝送路押えの形状に合わせて屈曲させる。このとき、光ファイバ素線２には同図（ｃ）に示すように屈曲部２ａが一時的に生じる。これにより、光ファイバ素線２に光信号が伝送されていれば、光ファイバ素線２の屈曲部２ａから漏洩光が矢示するように漏洩する。この際、光検出端末１２の光検出部１３の受光素子１７は、光漏洩部１の凸部３およびガイド４によって密閉されるため、太陽光その他自然界のノイズの影響を受けることなく、光ファイバ素線２の屈曲部２ａからの漏洩光のみを検出する。そして、受光素子１７で光電変換された信号の強度が予め設定された基準値以上であれば、光検出端末１２に設けられた図示しない判定回路により、光ファイバ素線２に光信号が伝送されていると判定され、信号の強度が基準値以下であれば、光ファイバ素線２に光信号が伝送されていないと判定され、判定結果が光検出端末１２の表示部１４に表示される。光検出作業が終了すれば、光検出端末１２の光検出部１３は光漏洩部１から取り外され、光ファイバ素線２は元に戻り、同図（ｂ）に示すように略直線状を成す。
【００５８】
また、光ファイバ素線２の個別配線情報や光信号の検出結果に関する情報をＲＦＩＤタグ７に書き込む場合には、予め光検出端末１２の情報入力部１５からこれらの情報を入力しておく。そして、光検出端末１２の光検出部１３が光漏洩部１のＲＦＩＤタグ７に対して数[cm]程度の位置にある状態のときに、情報入力部１５に設けられた図示しない情報書込キーを操作することによって、光検出端末１２の送受信アンテナ１８からＲＦＩＤタグ７のアンテナ９へ、入力された個別配線情報や光信号の検出結果に関する情報を含む書込信号が発信される。ＲＦＩＤタグ７のＣＰＵ１１は、アンテナ９において無線により書込信号が受信されるときに供給されるエネルギーをエネルギー源としてＬＥＤ１０を点灯させるとともに、アンテナ９で受信した書込信号に含まれる各情報をＲＯＭ８に記憶させる。
【００５９】
また、ＲＦＩＤタグ７に記憶された光ファイバ素線２の個別配線情報や光信号の検出結果を読み込む場合には、予め、読込対象となる光ファイバ素線２が保持されている光漏洩部１のＲＦＩＤタグ７の固有ＩＤを情報入力部１５から入力しておく。そして、光検出端末１２の光検出部１３が光漏洩部１のＲＦＩＤタグ７に対して数[cm]程度の位置にある状態のときに、情報入力部１５に設けられた図示しない情報呼出キーを操作することによって、光検出端末１２の送受信アンテナ１８からＲＦＩＤタグ７のアンテナ９へ呼出信号が発信される。発信された固有ＩＤを記憶するＲＦＩＤタグ７のＣＰＵ１１は、アンテナ９において無線により呼出信号が受信されるときに供給されるエネルギーをエネルギー源としてＬＥＤ１０を点灯させるとともに、ＲＯＭ８に記憶されている個別配線情報や光信号の検出結果に関する情報を含む信号を、光検出端末１２のアンテナ１８に返信する。返信された信号に含まれる個別配線情報や光信号の検出結果に関する情報は、光検出端末１２の表示部１４に表示される。
【００６０】
このような第１の実施形態による光伝送路装置によれば、光検出部１３の凹部１６が光漏洩部１の凸部３と嵌合すると、光漏洩部１の凸部３に保持されている光ファイバ素線２が、凸部３と凹部１６との間に挟持された状態で一時的に屈曲し、この屈曲した屈曲部２ａから光信号の一部が漏洩光として漏洩する。屈曲部２ａから漏洩した光信号の一部は、光検出端末１２の光検出部１３により検出される（図３（ｃ）参照）。このため、光検出端末１２の光検出部１３を光漏洩部１に嵌合させることで、光ファイバ素線２を保持する光漏洩部１を動かすことなくそのままの状態で、光ファイバ素線２を伝送する光信号を検出することができる。光漏洩部１は、特許文献３に開示された従来の装置における凸部および凹部を備えた光漏洩部とは異なり、凸部３のみを有するものであり、光漏洩部品が簡素化されるため経済性に優れ、さらに適用範囲が拡大される。また、従来の装置に比べて光漏洩部１の高さ寸法は小さくなる。このため、光漏洩部１の小型化が可能となり、許容される高さ寸法の小さい小型の成端トレイに対しても、本発明による光伝送路判別装置を適用することが可能となる。
【００６１】
また、本実施形態では、光ファイバ素線２がガイド４および光ファイバ押え部６に覆われることにより、光ファイバ素線２が光漏洩部１から離脱して飛び出してしまうことが防止される（図１参照）。このため、光ファイバ素線２を常に光漏洩部１に保持しておくことができる。
【００６２】
また、本実施形態では、光検出部１３の凹部１６が、ガイド４によって、光漏洩部１の凸部３と嵌合する位置まで案内される。このため、容易に光検出部１３の凹部１６を光漏洩部１の凸部に嵌合させることができるようになり、簡単な操作で光信号を検出することが出来る。
【００６３】
また、本実施形態では、ＲＦＩＤタグ７に光ファイバ素線２の配線情報などの種々の情報を記憶させておくことができる。このため、作業者は、光ファイバ素線２や光ファイバ素線２を伝送する光信号の状態の判別を行う際、判別の対象となる光ファイバ素線２に関する配線情報などの種々の情報を、その光ファイバ素線２を保持する光漏洩部１に備えられたＲＦＩＤタグ７に記憶された情報を読み込むことで、知ることができ、光ファイバ素線２の配線管理を適切に行なえるようになる。
【００６４】
また、本実施形態では、ＲＦＩＤタグ７に記憶された情報は光検出端末１２によって読み出される。このため、作業者は、屈曲部２ａから漏洩した光信号を光検出端末１２を用いて検出する際、ＲＦＩＤタグ７に記憶された情報を光検出端末１２を用いて読み込み、検出対象となる光ファイバ素線２における、回線接続経路や施工日時等の過去の光伝送路特定情報や光検出部１３による検出結果を確認しながら、屈曲部２ａから漏洩した光信号を検出することができ、作業効率を向上させることができる。
【００６５】
また、本実施形態では、光ファイバ素線２の配線情報や、光ファイバ素線２の状態または光ファイバ素線２を伝送する光信号の状態についての光検出部１３による検出結果は、光検出端末１２によって光漏洩部１のＲＦＩＤタグ７に記憶される。このため、作業者は、光検出部１３によって光ファイバ素線２や光信号の状態を判別した際に、直ちに、判別対象となった光ファイバ素線２の配線情報や光検出部１３による検出結果を、光検出端末１２を用いて確認することが出来ると共に、書き換えることができる。この結果、光ファイバ素線２の配線情報の変更に個別に対応することが出来るようになる。
【００６６】
なお、上記第１の実施形態では、光ファイバ素線２の屈曲部２ａから光信号が検出時に一時的に漏洩する場合を説明したが、本発明はこれに限られるものではない。例えば、光ファイバ素線２が、光漏洩部１の凸部３に保持される位置に、融着接続部等の光信号の一部が漏洩する少なくとも１つの接続点を有し、この接続点からも光信号が漏洩する構成とすることも可能である。この構成によれば、光ファイバ素線２の融着接続部において、光伝送路を構成する光ファイバ素線２のコアからクラッドへ、光信号が僅かな割合で漏洩している。従って、光検出部１３の凹部１６が光漏洩部１の凸部３に嵌合し、光ファイバ素線２が凸部３と凹部１６との間に挟持され、屈曲させられた時には、屈曲部分のクラッドから漏れた光信号が更に光ファイバ素線２の外部に漏洩する。従って、屈曲部のみを形成し、光ファイバコアを伝播する光信号をクラッドに漏洩させ、更に光ファイバ素線２の外部に漏洩させて、コア中心から光信号を漏洩させる場合と比較し、クラッドから光信号を漏洩させる屈曲部分の曲率半径は大きく設定される。また、光ファイバ素線２の融着接続部では、主にコアの軸ずれにより、モードフィールド径の小さい短波長側の光信号がより多く漏洩するが、光ファイバ素線２の屈曲部で生じる、主に長波長側の光信号がより多く漏洩する現象と比較し、波長依存性は遥かに少なく、問題にならない範囲である。従って、心線対照器等を用いた従来の光伝送路判別装置に比べて、検出時の過剰損失を大きくすることなく、検出対象となる光信号の波長範囲を拡げ、検出感度を向上させた光伝送路判別装置が提供されることになる。この場合は従来の光タップとは異なり、挿入損失をさらに低く抑えることが可能となる。
【００６７】
また、上記第１の実施形態では、光検出部１３に光伝送路押えとして凹部１６を形成したが、光検出部１３に形成される光伝送路押えの構造は曲面のみに限定されるものではない。光伝送路押えは、光ファイバ素線２を光漏洩部１の凸部３に押さえつけたときに、光ファイバ素線２を屈曲させることが出来る構造であれば足りる。例えば、図３（ｂ）に示される光検出部１３が、受光素子１７の下方の部分が平坦に形成され、その両側に２本の突条が形成されて光伝送路押えを構成しても、同等の効果が期待される。  また、この光伝送路押えは光検出部１３に形成される場合だけでなく、後述する補助具（図５参照）に形成しても良い。
【００６８】
また、上記第１の実施形態では、光ファイバ素線２として外皮にＵＶ被覆が施されたものを用いているが、例えば、光ファイバ素線２が、光漏洩部１において、複数の被覆層の少なくとも一部が除去されている構成であっても構わない。この構成によれば、光伝送路押えを光漏洩部１に嵌合させた時に生成される光ファイバ素線２の屈曲部分では、被覆層の一部が除去された部分から、嵌合時に漏洩した光信号が光検出部１３により検出される。このため、被覆層の異なる種々の外形の光伝送路に対して、被覆層における光信号の損失の影響をなくした状態で、光信号の検出を行うことが可能になる。
【００６９】
また、上記第１の実施形態では、光検出部１３に設けられた１つの受光素子１７により、光漏洩部１に保持された１本の光ファイバ素線２の屈曲部２ａから漏洩した光信号を検出する場合を説明したが（図１（ａ），図３（ｃ）参照）、本発明はこれに限られるものではない。例えば、光漏洩部１が、複数の光ファイバ素線２を保持し、光検出部１３が、複数の受光素子１７を備え、複数の各光ファイバ素線２から漏洩した複数の光信号を個別に、または複数の光信号の少なくとも一部を一括して、複数の受光素子１７で受光することで、漏洩した複数の光信号を検出する構成とすることも可能である。この構成によれば、複数の光ファイバ素線２から漏洩した複数の光信号の光検出部１３による検出は、個別に、または一部が一括して複数の受光素子１７で受光されることによって行われる。このため、光タップなどの光部品を用いて１本の光ファイバ素線毎に光信号を検出する従来の光伝送路判別装置に比べて、コストを抑えることが可能になる。また、１つの光検出部１３により一度に複数の光ファイバ素線２の光信号を検出することができ、作業効率を向上させることができる。
【００７０】
また、光検出部１３が、漏洩した光信号の波長とは異なる波長のうちの少なくとも一部の波長の光を遮断するフィルタを備えた構成とすることもできる。この構成によれば、光ファイバ素線２の屈曲部２ａにおいて漏洩した光信号の波長とは異なる波長の光は、フィルタにより遮断されて光検出部１３で検出されなくなる。このため、漏洩した光信号だけが光検出部１３において検出されるようになり、光検出部１３における光信号の検出精度の向上が図られる。
【００７１】
また、屈曲部２ａに位置する凸部３の表面の少なくとも一部に、漏洩した光信号を反射させる反射処理が施された構成としてもよい。この構成によれば、光ファイバ素線２の屈曲部２ａで漏洩した光信号は、凸部３および凹部１６の間を減衰少なく反射しながら光検出部１３の受光素子１７に到達し、検出される。このため、光検出部１３の検出効率が向上し、強度の小さい光信号であっても確実に光検出部１３で検出されるようになる。
【００７２】
また、凹部１６を形成する部材の少なくとも一部の屈折率が、光ファイバ素線２の被覆層の屈折率と略整合している構成としてもよい。この構成によれば、光検出部１３の凹部１６を形成する部材の屈折率が光ファイバ素線２の被覆層の屈折率と略等しくなっているため、漏洩光が光ファイバ素線２の被覆層と凹部１６との境界で反射せず、光ファイバ素線２の被覆層を介して凹部１６へ透過してくる漏洩光の量が増加するようになる。このため、この漏洩光の量の増加に伴い、光検出部１３の受光素子１７における受光効率が高くなり、光ファイバ素線２の屈曲部２ａで漏洩した光信号の強度が小さい場合であっても、確実に光検出部１３で検出されるようになる。
【００７３】
また、凹部１６を形成する部材の少なくとも一部が、光ファイバ素線２の被覆層に対して、屈曲部２ａから漏洩した光信号の透過率を向上させる処理が施されている構成としてもよい。この構成によれば、光ファイバ素線２の被覆層を介して光検出部１３の凹部１６へ透過してくる漏洩光は、凹部１６で反射することなく透過して、光検出部１３により検出されるようになる。このため、光検出部１３における受光効率が高くなり、光ファイバ素線２の屈曲部２ａで漏洩した光信号の強度が小さい場合であっても、確実に光検出部１３で検出されるようになる。
【００７４】
また、光ファイバ素線２の屈曲部２ａが位置しない凸部３の表面および凹部１６の表面の少なくとも一部に、光漏洩部１の外部から凸部３および凹部１６の間に侵入する外来光の反射を抑制する処理が施されている構成とすることも可能である。この構成によれば、光漏洩部１の凸部３と光検出部１３の凹部１６とが嵌合しているときに凸部３と凹部１６との間に侵入してくる太陽光などの外来光の反射が抑制され、反射を繰り返して光検出部１３に到達する外来光の量が減少する。このため、光検出部１３における外来光の影響を少なくして、屈曲部２ａで漏洩した光信号の検出精度を高めることができ、光信号が確実に光検出部１３で検出されるようになる。また、ＲＦＩＤタグ７は、書き込みができない、読み出し専用の安価なＲＦＩＤタグであってもよい。この場合、光ファイバ素線２の配線情報、活線情報等はＲＦＩＤタグの固有ＩＤによって管理される。
【００７５】
また、上記第１の実施形態では、光ファイバ素線２として外皮にＵＶ被覆が施されたものを用いているが、ＰＶＣ被覆が施されたものを用いることも可能である。この場合、光ファイバ素線２の光漏洩部１内に位置する部分のＰＶＣ被覆を工具等で除去してから外皮をＵＶ被覆の状態にしたものや、ＰＶＣ被覆を除去しないままの状態のものを光ファイバ素線２として用いることになる。また、凸部３の断面形状は図１（ｃ）に示すように扇形状になっているが、凸部３の断面形状はＷ型やＳ型であってもよく、扇形状に限定されるものではない。また、光漏洩部１の材質はＡＢＳ樹脂であるが、ゴムやプラスチック、金属、無機材であってもよく、ＡＢＳ樹脂に限定されるものではない。
【００７６】
次に、本発明の第２の実施形態について説明する。
【００７７】
図４は、本実施形態による光成端トレイ１９の内部構成を示す斜視図である。なお、同図において第１の実施形態における図１（ａ）〜（ｃ）と同一または相当する部分には同一の符号を付して説明する。
【００７８】
光成端トレイ１９は、光ファイバ導入ガイド２０と、光ファイバ収納部２１と、光ファイバ押え部２２と、融着補強スリーブ収納ホルダ２３と、光漏洩部１と、ＲＦＩＤタグ７とから構成され、外形寸法（Ｌ×Ｄ×Ｈ）は、約１８０[mm]×１１０[mm]×１０[mm]となっている。光漏洩部１は光成端トレイ１９の底面に接着剤で固定されている。
【００７９】
光成端トレイ１９には、複数の光ファイバ素線２が収納されるようになっており、各光ファイバ素線２の融着接続部は、融着補強スリーブ２４によって固定され、融着補強スリーブ２４は、融着補強スリーブ収納ホルダ２３に収納される。光漏洩部１は、融着補強スリーブ収納ホルダ２３に整列して配置固定される。
【００８０】
上記の構成において、各光ファイバ素線２を伝送する光信号の有無などを確認する場合、まず光検出端末１２を光成端トレイ１９に近づけて、確認対象となる光ファイバ素線２の特定情報を送受信アンテナ１８から発信する。確認対象となる光ファイバ素線２は、ＬＥＤ１０の発光したＲＦＩＤタグ７で示されて特定される。特定された光ファイバ素線２に対応する光漏洩部１の凸部３に、光検出端末１２の検出部１３の凹部１６を嵌合させた結果、光ファイバ素線２に光信号が伝送されていれば、屈曲した光ファイバ素線２から光信号が漏洩し、検出部１３にある受光素子１７によって検出される。
【００８１】
従って、この第２の実施形態による光成端トレイ１９によっても、前述した第１の実施形態による光伝送路判別装置と同様の作用効果が奏される。
【００８２】
また、光検出端末１２を用いて光成端トレイ１９内の光ファイバ素線２を伝送する光信号の状態を判別する際、ＲＦＩＤタグ７に記憶されている光ファイバ素線２の配線情報を呼び出すことによって、心線状態判別と、光ファイバ素線２の配線情報や光信号の検出結果の確認とを同時に行うことができ、検出対象となる光ファイバ素線２の識別やこの光ファイバ素線２を伝送する光信号の状態の判別をより正確に行うことができる。
【００８３】
例えば、光成端トレイ１９の中から、光信号の判別および配線情報を確認したい光ファイバ素線２を特定したい場合には、対象となる光ファイバ素線２を収納した光漏洩部１に取り付けられたＲＦＩＤタグ７の固有ＩＤを情報入力部１５から入力して、そのＬＥＤ１０を点灯させることにより、検出対象となる光ファイバ素線２を容易に識別できると共に、光ファイバ素線２を伝送する光信号の状態の判別を手間をかけずに行うことができるようになる。
【００８４】
なお、上記の第２の実施形態による光成端トレイ１９は、例えば、光線路中の架空に設けられた光クロージャや通信局、通信拠点等に設置された光成端架等の光成端装置の中で使用されるが、その用途はこれに限定されるものではない。
【００８５】
また、上記の第２の実施形態では、光漏洩部１は光成端トレイ１９の底面に接着剤で固定されている場合を説明したが、光漏洩部の固定方法はネジによる固定や両面テープによる固定もあり、接着剤での固定に限定されるものではない。また、光漏洩部１が光成端トレイ１９と一体成形されている場合もあり、その場合、融着補強スリーブ収納ホルダ２３と一体化されている場合もある。
【００８６】
また、上記の第２の実施形態では、光成端トレイ１９の外形寸法（Ｌ×Ｄ×Ｈ）は、約１８０[mm]×１１０[mm]×１０[mm]となっているが、光成端トレイ１９の外形寸法はこれに限定されるものではない。
【００８７】
次に、本発明の第３の実施形態について説明する。
【００８８】
図５は、上述した図４に示す光成端トレイ１９に遮光カバー２５を取り付けた状態を示す斜視図である。なお、同図において第２の実施形態における図４と同一または相当する部分には同一の符号を付して説明する。
【００８９】
遮光カバー２５は、光成端トレイ１９の上面を遮光するためのカバー部２６と、光検出端末１２の光検出部１３の凹部１６を光漏洩部１の凸部３に嵌合させるためのガイド部２７と、遮光カバー２５を光成端トレイ１９に取り付けて固定するための取付部２８とを備えており、外形寸法は、光成端トレイ１９の外形寸法と同様に約１８０[mm]×１１０[mm]×１０[mm]となっている。ガイド部２７はカバー部２６の略中央部に突設して設けられており、ガイド部２７の内側には、光漏洩部１の各凸部３に対して光検出部１３の凹部を垂直に導入するためのガイド溝２７ａが形成されている。また、カバー部２６および光成端トレイ１９は、取付部２８によって圧接固定されている。同図に示すように、遮光カバー２５が光成端トレイ１９に取り付けられると、ガイド溝２７ａが各光漏洩部１に対応して配置される。遮光カバー２５は、光検出部１３を光漏洩部１と嵌合させる時の位置案内か、光漏洩部１と光検出部１３とを嵌合させた時に光検出部１３が備える受光素子１７に侵入する外来光を遮光する遮光機能の、少なくともいずれか一方の機能を有する補助具を構成している。
【００９０】
上記の構成において、光ファイバ素線２を伝送する光信号の状態を確認する場合、光検出端末１２の検出部１３を、ガイド溝２７ａに沿って挿入し、光漏洩部１の凸部３に嵌合させる。このとき、光ファイバ素線２に光信号が伝送されていれば、光ファイバ素線２の屈曲部２ａから光信号が漏洩し、検出部１３にある受光素子１７によって漏洩光が検出される。また、光検出部１３の凹部１６が光漏洩部１の凸部３に嵌合している状態では、光検出部１３の受光素子１７は光漏洩部１の凸部３によって覆われると共に、遮光カバー２５によっても覆われた状態となる。
【００９１】
従って、光成端トレイ１９に遮光カバー２５を取り付けた上記第３の実施形態においても、前述した第１の実施形態による光伝送路判別装置と同様の作用効果が奏される。
【００９２】
また、本実施形態では、光成端トレイ１９に遮光カバー２５が取り付けられることで、光成端トレイ１９を構成する光漏洩部１の外部から凸部３と凹部１６との間に侵入する外来光は遮光される。このため、光成端トレイ１９内部の光ファイバ素線２を伝送する光信号の検出を行う際、光検出部１３における太陽光などの外来光の影響を少なくして、屈曲部２ａで漏洩した光信号の検出精度を高めることができ、確実に光ファイバ素線２の判別を行うことができるようになる。
【００９３】
また、本実施形態では、光検出部１３の凹部１６が、遮光カバー２５に備えられたガイド溝２７ａによって、光漏洩部１の凸部３と嵌合する位置まで案内される。このため、容易に光検出部１３の凹部１６を光漏洩部１の凸部３に嵌合させることができるようになり、光成端トレイ１９内部の光ファイバ素線２を伝送する光信号を検出する際の手間が軽減される。
【００９４】
なお、上記の第３の実施形態では、遮光カバー２５は光成端トレイ１９に圧接固定されている場合を説明したが、遮光カバー２５の固定方法は、圧接による固定に限定されるものではない。
【００９５】
また、上記の第３の実施形態では、遮光カバー２５の外形寸法が約１８０[mm]×１１０[mm]×１０[mm]になっている場合を説明したが、遮光カバー２５の外形寸法はこれに限定されるものではない。
【００９６】
また、上記の第３の実施形態では、ガイド部２７が遮光カバー２５の略中央部に突設して設けられた場合について説明したが、ガイド部２７は、必ずしも遮光カバー２５と一体に構成されている必要はなく、単体で構成されていてもよい。この構成によっても、光検出端末１２の一端に設けられた光検出部１３の凹部１６が、光漏洩部１に着脱自在に取り付けられた単体のガイド部２７によって、光漏洩部１の凸部３と嵌合する位置まで案内される。このため、光漏洩部１に単体のガイド部２７が取り付けられた状態では、容易に、光検出端末１２の一端に設けられた光検出部１３の凹部１６を光漏洩部１の凸部３に嵌合させることができるようになり、簡単な操作で光信号を検出することが出来、上記の第３の実施形態と同様な作用効果が奏される。
【００９７】
また、このような構成によれば、光検出部１３の凹部１６が、遮光カバー２５と一体に構成されたガイド部２７、または単体で構成されたガイド部２７によって案内されて光漏洩部１の凸部３に嵌合するため、光漏洩部１が狭い空間に配置されている場合であっても、光検出部１３を光漏洩部１に近づけて、容易に凹部１６を凸部３に嵌合させることができる。よって、光検出部１３および光漏洩部１を小型化することが出来ると共に、光伝送路の判別を行う際の作業効率の向上を図ることができる。
【００９８】
また、前述した第１の実施形態では、凹部１６を備えた光検出部１３が光検出端末１２と一体に形成されている場合を説明したが、凹部１６は、光検出部１３と分離されて形成された構成とすることも可能である。この場合において、分離された凹部１６を、上記のガイド部２７の対向する一対のガイド溝２７ａ間の空間に、光漏洩部１の各凸部３に対応して形成して、ガイド部２７と一体に構成するようにしてもよい。この構成によれば、光漏洩部１にガイド部２７を取り付けることにより、ガイド部２７に形成された凹部１６が、光漏洩部１の凸部３と嵌合する位置まで案内される。凹部１６が光漏洩部１の凸部３に嵌合すると、凸部３に保持されている光ファイバ素線２が凸部３と凹部１６との間に挟持された状態で屈曲し、この屈曲した屈曲部２ａから光信号の一部が漏洩する。屈曲部２ａから漏洩した光信号の一部は、光検出端末１２の先端に形成された受光素子１７を有する光検出部１３により検出される。
【００９９】
このため、本構成においても、凹部１６を光漏洩部１に嵌合させることで、光ファイバ素線２を保持する光漏洩部１を動かすことなくそのままの状態で、光ファイバ素線２を伝送する光信号を検出することができる。また、この構成によっても、光検出部１３が、遮光カバー２５と一体に構成されたガイド部２７、または単体で構成されたガイド部２７によって案内されて光漏洩部１の凸部３に嵌合するため、光漏洩部１が狭い空間に配置されている場合であっても、光検出部１３を光漏洩部１に近づけて、容易に凹部１６を凸部３に嵌合させることができる。よって、光検出部１３および光漏洩部１を小型化することが出来ると共に、光伝送路の判別を行う際の作業効率の向上を図ることができる。
【０１００】
次に、本発明の第４の実施形態について説明する。
【０１０１】
図６（ａ）は、本実施形態による光アダプタ２９の外観斜視図、同図（ｂ）はその縦断面図、同図（ｃ）は光アダプタ２９の内部の光漏洩部１に光検出端末１２を嵌合させる前の状態を示す図、同図（ｄ）は光アダプタ２９の内部の光漏洩部１に光検出端末１２を嵌合させた状態を示す図である。なお、同図（ａ）〜（ｃ）において第１の実施形態における図１（ａ）〜（ｃ），図３（ａ）〜（ｃ）と同一または相当する部分には同一の符号を付して説明する。
【０１０２】
光アダプタ２９は、図６（ｃ）に示すように、コネクタ部３８を有する光コネクタコード３７同士を接続するものであり、光検出端末１２の光検出部１３が挿入される検出孔３０、蓋３１、一対の光コネクタ挿入部３４，３４、一対のフェルール３５，３５、一対の割りスリーブ３６，３６、および光漏洩部１から構成される。光アダプタ２９は、外形寸法が約３０[mm]×１５[mm]×１０[mm]となっている。本実施形態における光漏洩部１は、フェルール３５，３５の間に設けられた光ファイバ素線２と、この光ファイバ素線２の下方に配置された凸部３とからなり、光アダプタ２９の底面に接着剤で固定されている。光コネクタコード３７のコネクタ部３８が光コネクタ挿入部３４に挿入されると、コネクタ部３８の図示しないフェルール先端が、割りスリーブ３６の中で、フェルール３５の先端とフィジカルコンタクトにより接触する。また、蓋３１には、光アダプタ２９本体の側面に形成された蓋固定凹部３３と嵌合する蓋固定凸部３２が突設されており、光信号を検出しない場合は、蓋固定凸部３２を蓋固定凹部３３に嵌合させることで、蓋３１を閉じた状態で固定することができる。
【０１０３】
上記の構成において、光漏洩部１に保持された光ファイバ素線２の心線状態、すなわち、光コネクタコード３７における光信号の伝搬の有無を確認する場合、まず、蓋固定凸部３２を蓋固定凹部３３から外して蓋３１を開き、光検出端末１２の検出部１３を検出孔３０に挿入し、同図（ｄ）に示すように、光検出部１３の凹部１６を光漏洩部１の凸部３に嵌合させる。このとき、光ファイバ素線２に光信号が伝送されていれば、光ファイバ素線２の屈曲部２ａから光信号が漏洩し、検出部１３にある受光素子１７によって漏洩光が検出される。
【０１０４】
従って、第４の実施形態による光アダプタ２９においても、前述した第１の実施形態による光伝送路判別装置と同様の作用効果が奏される。
【０１０５】
また、光検出端末１２を用いて光アダプタ２９内の光ファイバ素線２を伝送する光信号の状態を判別する際、ＲＦＩＤタグ７に記憶されている光コネクタコード３７の配線情報を呼び出すことによって、心線状態判別と、光コネクタコード３７の配線情報や光信号の検出結果の確認とを同時に行うことができ、検出対象となる光コネクタコード３７の識別やこの光コネクタコード３７を伝送する光信号の状態の判別をより正確に行うことができる。
【０１０６】
例えば、複数の光コネクタコード３７の中から、心線状態判別および配線情報を確認したい光コネクタコード３７を特定したい場合には、対象となる光コネクタコード３７を接続した光アダプタ２９に取り付けられたＲＦＩＤタグ７の固有ＩＤを情報入力部１５から入力して、そのＬＥＤ１０を点灯させることにより、検出対象となる光コネクタコード３７を容易に識別できると共に、光コネクタコード３７を伝送する光信号の状態の判別を手間をかけずに行うことができるようになる。
【０１０７】
また、本実施形態では、光アダプタ２９を使用することで、光コネクタ３８を備え、かつ、多層の被覆を有した外形２[mm]や３[mm]といった形態のコード３７からなる伝送路中においても、低損失でかつ効率よく光信号を検出することが可能になる。
【０１０８】
なお、上記の第４の実施形態による光アダプタ２９は、例えば、通信拠点等に設置された光成端架等の光成端装置の中や、光線路中の架空に設けられた光クロージャや通信局で使用されるが、その用途はこれに限定されるものではない。
【０１０９】
また、上記の第４の実施形態では、光漏洩部１が光アダプタ２９の底面に接着剤で固定されている場合を説明したが、光漏洩部１の固定方法は、ネジによる固定や両面テープによる固定もあり、接着剤での固定に限定されるものではない。また、光漏洩部１が光アダプタ２９と一体成形されている場合もある。
【０１１０】
また、上記の第４の実施形態では、光アダプタ２９の外形寸法は、約３０[mm]×１５[mm]×１０[mm]となっているが、光アダプタ２９の外形寸法はこれに限定されるものではない。
【０１１１】
次に、本発明の第５の実施形態について説明する。
【０１１２】
図７（ａ）は、本実施形態による光成端箱３９の外観斜視図、同図（ｂ）は同図（ａ）に示す光成端箱３９に光検出端末１２を嵌合させた状態の外観斜視図である。なお、同図（ａ），（ｂ）において第１の実施形態における図３（ａ）〜（ｃ）と同一または相当する部分には同一の符号を付して説明する。
【０１１３】
光成端箱３９は、光検出端末１２の光検出部１３が挿入される検出孔４０、蓋４１、成端箱扉４４、図示しない光成端トレイ、および図示しない光漏洩部から構成される。本実施形態における光漏洩部は、前述した第１の実施形態における光漏洩部１と同様にＲＦＩＤタグ７を備えたものであり、光成端箱３９の内側面に接着剤で固定されている。光ケーブル４５は、光成端箱３９内で光コード４６と融着接続および図示しない光コネクタによって接続され、光ケーブル４５または光コード４６を構成する図示しない光ファイバ素線の一部が光漏洩部１に収納されている。また、これら光ケーブル４５および光コード４６の接続部および余長は、図示しない光成端トレイに収納されている。また、蓋４１には、光成端箱３９の本体側面に形成された蓋固定凹部４３と嵌合する蓋固定凸部４２が突設されており、光信号を検出しない場合は、蓋固定凸部４２を蓋固定凹部４３に嵌合させることで、蓋４１を閉じた状態で固定することができる。
【０１１４】
上記の構成において、光ケーブル４５または光コード４６を構成する光ファイバ素線を伝送する光信号の状態を確認する場合、まず、蓋固定凸部４２を蓋固定凹部４３から外して蓋４１を開き、光検出端末１２の検出部１３を検出孔４０に挿入し、同図（ｂ）に示すように、光検出部１３の凹部１６を光漏洩部の凸部に嵌合させる。このとき、光ファイバ素線に光信号が伝送されていれば、光ファイバ素線の屈曲部から光信号が漏洩し、検出部１３にある受光素子１７によって漏洩光が検出される。
【０１１５】
従って、第５の実施形態による光成端箱３９においても、前述した第１の実施形態による光伝送路判別装置と同様の作用効果が奏される。
【０１１６】
また、光検出端末１２を用いて光成端箱３９内の光ファイバ素線を伝送する光信号の状態を判別する際、ＲＦＩＤタグ７に記憶されている光ファイバ素線の個別配線情報を呼び出すことによって、心線状態判別と、光ファイバ素線の配線情報や光信号の検出結果の確認とを同時に行うことができ、検出対象となる光ファイバ素線の識別やこの光ファイバ素線を伝送する光信号の状態の判別をより正確に行うことができる。
【０１１７】
例えば、複数の光ファイバ素線の中から、心線状態判別および配線情報を確認したい光ファイバ素線を特定したい場合には、光漏洩部に設けられたＲＦＩＤタグ７の固有ＩＤを情報入力部１５から入力して、そのＬＥＤ１０を点灯させることにより、または表示部１４に表示させることにより、検出対象となる光ファイバ素線を容易に識別できると共に、光ファイバ素線を伝送する光信号の状態の判別を手間をかけずに行うことができるようになる。
【０１１８】
また、本実施形態では、光成端箱３９内において、光ケーブル４５の光ファイバ素線と光コード４６の光ファイバ素線との融着接続部の前後２箇所に光漏洩部を設置することにより、融着接続部より光ケーブル４５側での光信号の有無と、融着接続部より光コード４６側での光信号の有無を成端箱扉４４を開くことなく確認することができるため、光成端箱３９内で回線異常が発生した際に、異常箇所の特定を効率よく行うことができる。
【０１１９】
なお、上記の第５の実施形態では、光漏洩部が光成端箱３９の内側面に接着剤で固定されている場合を説明したが、光漏洩部の固定方法は、ネジによる固定や両面テープによる固定もあり、接着剤での固定に限定されるものではない。また、光漏洩部が光成端箱３９と一体成形されている場合もある。
【０１２０】
また、上記の第５の実施形態による光成端箱３９は、例えば、ビル内の通信設備室や住宅の屋内で使用されるが、用途はこれに限定されるものではない。
【０１２１】
次に、本発明の第６の実施形態について説明する。
【０１２２】
図８（ａ）は、本実施形態による光メディアコンバータ４７の外観斜視図、同図（ｂ）は、同図（ａ）に示す光メディアコンバータ４７に光検出端末１２を嵌合させた状態を示す外観斜視図である。なお、同図（ａ），（ｂ）において第１の実施形態における図３（ａ）〜（ｃ）と同一または相当する部分には同一の符号を付して説明する。
【０１２３】
光メディアコンバータ４７は、光信号および電気信号を相互に変換する装置であり、光検出端末１２の光検出部１３が挿入される検出孔４８、蓋４９、電源スイッチ５２、光コネクタコード５７のコネクタ部５８が接続される光入出力端子５３、電気信号の授受を行う図示しないコードのコネクタが接続される入出力端子５４、図示しないＯ／Ｅ（Optical Electronics）変換デバイス、図示しない信号処理のインターフェース部、および図示しない光漏洩部を備えて構成されている。光メディアコンバータ４７は、外形寸法が約１５０[mm]×１００[mm]×２０[mm]となっている。光漏洩部は、前述した第１の実施形態における光漏洩部１と同様にＲＦＩＤタグ７を備えたものであり、光メディアコンバータ４７の内部に固定されている。また、光入出力端子５３からインターフェース部のＯ／Ｅ変換デバイスまでは光コネクタ付光ファイバ心線で接続されている。
【０１２４】
上記の構成において、光入出力端子５３とＯ／Ｅ変換デバイスとの間で配線される光コネクタ付光ファイバ心線を伝送する光信号の状態を確認する場合、光検出端末１２の検出部１３を検出孔４８に挿入し、同図（ｂ）に示すように、光検出部１３の凹部１６を光漏洩部の凸部に嵌合させる。このとき、光コネクタ付光ファイバ心線に光信号が伝送されていれば、光コネクタ付光ファイバ心線の屈曲部から光信号が漏洩し、検出部１３の受光素子１７によって漏洩光が検出される。
【０１２５】
従って、第６の実施形態による光メディアコンバータ４７においても、前述した第１の実施形態による光伝送路判別装置と同様の作用効果が奏される。
【０１２６】
また、光検出端末１２を用いて光メディアコンバータ４７に接続される光伝送路を伝送する光信号の状態を判別する際、ＲＦＩＤタグ７に記憶されている光伝送路の配線情報を呼び出すことによって、心線状態判別と、光伝送路の配線情報や光信号の検出結果の確認とを同時に行うことができ、検出対象となるこの光メディアコンバータ４７が接続されている光伝送路の識別やこの光伝送路を伝送する光信号の状態の判別をより正確に行うことができる。
【０１２７】
例えば、光メディアコンバータ４７の状態および光メディアコンバータ４７内部の光伝送路の配線情報を確認したい場合には、光漏洩部に設けられたＲＦＩＤタグ７の固有ＩＤを情報入力部１５から入力して、そのＬＥＤ１０を点灯させることにより、または表示部１４に表示させることにより、検出対象となる光メディアコンバータ４７内部の光伝送路を容易に識別できると共に、この光伝送路を伝送する光信号の状態の判別を手間をかけずに行うことができるため、簡単に光メディアコンバータ４７の動作状態を確認することが可能になる。
【０１２８】
また、本実施形態では、光メディアコンバータ４７内部での光伝送状態の異常の有無を確認することができるため、光メディアコンバータ４７内における異常箇所の特定を効率よく行うことができる。
【０１２９】
また、上記の第６の実施形態による光メディアコンバータ４７は、例えば、ビル内の通信設備室や住宅の屋内で使用されるが、その用途はこれに限定されるものではない。
【０１３０】
また、上記第６の各実施形態における光メディアコンバータ４７のように、内部にＯ／Ｅ変換デバイスなどの光源を有する光伝送用機器によれば、内部に設けられた光漏洩部における漏洩光の強度を光検出部１３で計測することにより、光伝送用機器内部の光源の寿命を推定し、この推定した光源の寿命を光検出端末１２の表示部１４に表示させる構成とすることも可能である。
【０１３１】
以上説明したように、上記第２〜６の各実施形態によれば、光検出端末１２の光検出部１３を光漏洩部１に嵌合させることで、光伝送用機器内部の光伝送路を保持する光漏洩部１を動かすことなくそのままの状態で、光伝送用機器内部の光伝送路を伝送する光信号を検出することができる種々の光伝送用機器が実現される。
【０１３２】
なお、上記各実施形態では、光伝送路判別装置や光伝送用機器について説明したが、光伝送路を管理する光伝送路管理システムであって、ＲＦＩＤタグ７を備えた上記第１の実施形態における光伝送路判別装置またはこの光伝送路判別装置の一部を備えた上記第２〜第６の実施形態における光伝送用機器、およびＲＦＩＤタグ７に記憶される光伝送路特定情報を用いて、光伝送路を管理する光伝送路管理システムを構成することも可能である。
【０１３３】
このような光伝送路管理システムによれば、ＲＦＩＤタグ７に記憶される配線情報や光ファイバ素線２を伝送する光信号の状態などの情報を活用することにより、例えば、複数の光伝送路判別装置や光伝送用機器が接続された回線網において、各光伝送路判別装置や各光伝送用機器の内部の光ファイバ素線２における光信号の伝送状態の異常などを適切に管理することができる。また、ＲＦＩＤタグ７に記憶される上記情報を活用することにより、上記光伝送路判別装置またはこの光伝送路判別装置を備えた上記光伝送用機器とデータセンター等の既存の光伝送路管理システムとを組み合わせた新規な構成の光伝送路管理システムを構築することも、容易に行えるようになる。
【０１３４】
なお、本発明は、上述した各実施形態に限定されることなく、適宜な変更を行うことにより、その他の様々な態様で実施しうるものである。
【産業上の利用可能性】
【０１３５】
上記の各実施形態においては、漏洩部曲面を有する光漏洩部および光伝送路押えを有する光検出部を備えた光伝送路判別装置、光伝送用機器を構成する光成端トレイ、光アダプタ、光成端箱、および光メディアコンバータについて説明したが、本発明はこれらに限定されることはない。例えば、光伝送路中に用いられる光部品（光コネクタや光コード、光コネクタアダプタ、光タップ）や、光成端装置（光成端架、光成端箱、光接続箱、光成端ユニット、光クロージャ、光成端トレイ、光コンセント、ＰＯＩ（point of interface）−ＢＯＸ）、光端末（ＯＮＵ（optical network unit）、メディアコンバータ）、光伝送装置（ＯＬＴ（optical line terminal）、光ルータ、ＲＯＡＤＭ(Reconfigurable Optical Add/Drop Multiplexer)、光クロスコネクト、光中継器）といった、種々の光部品や光成端装置、光端末、光伝送装置などに本発明を適用することができる。これらの光部品や光成端装置、光端末、光伝送装置に本発明を適用した場合においても、上記各実施形態と同様の作用効果が奏される。
【図面の簡単な説明】
【０１３６】
【図１】本発明の第１の実施形態による光伝送路判別装置を構成する光漏洩部を示しており、（ａ）は光漏洩部の斜視図、（ｂ）は（ａ）の光漏洩部をＩｂ−Ｉｂ線で破断した矢視断面図、（ｃ）は（ａ）の光漏洩部をＩｃ−Ｉｃ線で破断した矢視断面図である。
【図２】図１に示すＲＦＩＤタグの内部構成を示す図である。
【図３】（ａ）は、本発明の第１の実施形態による光伝送路判別装置を構成する光検出部を備えた光検出端末の外観を示す斜視図、（ｂ）は、光漏洩部に光検出端末を嵌合させる前後の状態を示す一部破断断面図、（ｃ）は、光漏洩部に光検出端末を嵌合させた状態を示す一部破断断面図である。
【図４】本発明の第２の実施形態による光成端トレイの内部構成を示す斜視図である。
【図５】本発明の第３の実施形態による遮光カバーを取り付けた光成端トレイを示す斜視図である。
【図６】（ａ）は、本発明の第４の実施形態による光アダプタの外観斜視図、（ｂ）はその縦断面図、（ｃ）は光アダプタの内部の光漏洩部に光検出端末を嵌合させる前の状態を示す図、（ｄ）は光アダプタの内部の光漏洩部に光検出端末を嵌合させた状態を示す図である。
【図７】（ａ）は、本発明の第５の実施形態による光成端箱の外観斜視図、（ｂ）は（ａ）に示す光成端箱に光検出端末を嵌合させた状態の外観斜視図である。
【図８】（ａ）は、本発明の第６の実施形態による光メディアコンバータの外観斜視図、（ｂ）は、（ａ）に示す光メディアコンバータに光検出端末を嵌合させた状態の縦断面図である。
【符号の説明】
【０１３７】
１…光漏洩部
２…光ファイバ素線
２ａ…屈曲部
３…凸部
４…ガイド
５…光ファイバ押え部
７…ＲＦＩＤタグ
１２…光検出端末
１３…光検出部
１４…表示部
１５…情報入力部
１６…凹部
１７…受光素子
１８…送受信アンテナ
１９…光成端トレイ
２５…遮光カバー
２６…カバー部
２７…ガイド部
２７ａ…ガイド溝
２９…光アダプタ
３０，４０，４８…検出孔
３４…光コネクタ挿入部
３７，５７…光コネクタコード
３８，５８…コネクタ部
３９…光成端箱
４５…光ケーブル
４６…光コード
４７…光メディアコンバータ
５３…光入出力端子
５４…入出力端子
【図１】
0005203021.tif 000002
【図２】
0005203021.tif 000003
【図３】
0005203021.tif 000004
【図４】
0005203021.tif 000005
【図５】
0005203021.tif 000006
【図６】
0005203021.tif 000007
【図７】
0005203021.tif 000008
【図８】
0005203021.tif 000009